(57)【要約】【課題】プリパージ時のファンの回転速度を常に一律に設定するのではなく、必要な時期にプリパージ時のファンの回転速度を通常速度よりも大きく又は小さく設定し得る燃焼装置を提供する。【解決手段】燃焼装置１は、所定の通常モードの場合、プリパージの際の燃焼ファン１５の回転数を所定の通常回転数とし、ガスバーナ１７の動作停止時に予め用意された特定条件が成立した場合、又はガスバーナ１７の動作停止時に操作部に対する特定操作がなされた場合を特定モードとしてプリパージの際の燃焼ファン１５の回転数を通常回転数よりも小さい又は大きい特定回転数とする。【選択図】図１
2015090243.tif 000002
【特許請求の範囲】
【請求項１】
燃焼室内に設けられたガスバーナと、
前記ガスバーナへのガス供給路と、
前記ガス供給路の開閉を制御する開閉弁と、
前記燃焼室内の空気を流動させる燃焼ファンと、
前記ガスバーナに対する点火を制御する点火制御部と、
前記燃焼ファンの回転を制御する構成であり、且つ前記点火制御部による前記ガスバーナへの点火前に前記燃焼ファンを回転させて前記燃焼室内を換気するプリパージを行う回転制御部と、
外部からの操作が可能な操作部と、
を備え、
前記回転制御部は、所定の通常モードの場合には、前記プリパージの際の前記燃焼ファンの回転数を所定の通常回転数とし、前記通常モードとは異なり、前記ガスバーナの動作停止時に予め用意された特定条件が成立した場合、又は前記ガスバーナの動作停止時に前記操作部に対する特定操作がなされた場合、を特定モードとして前記プリパージの際の前記燃焼ファンの回転数を前記通常回転数よりも小さい又は大きい特定回転数とすることを特徴とする燃焼装置。
【請求項２】
動作時刻を記憶する動作時刻記憶部と、
現在時刻を把握する時計部と、
前記時計部によって把握される前記現在時刻が前記動作時刻になったか否かを判断する動作時刻判断部と、
を備え、
前記回転制御部は、前記ガスバーナの動作停止時に前記操作部に対して所定の通常操作がなされた場合を前記通常モードとして前記プリパージの際に前記燃焼ファンを前記通常回転数で第１所定時間の間だけ動作させ、前記ガスバーナの動作停止時に前記動作時刻判断部により前記現在時刻が前記動作時刻になったと判断された場合を前記特定モードとして前記プリパージの際に前記燃焼ファンを前記通常回転数よりも小さい前記特定回転数で前記第１所定時間よりも長い第２所定時間の間だけ動作させることを特徴とする請求項１に記載の燃焼装置。
【請求項３】
前記動作時刻が所定時刻帯であるか否かを判断する時刻帯判断部を備え、
前記回転制御部は、
前記ガスバーナの動作停止時に前記動作時刻判断部により前記現在時刻が前記動作時刻になったと判断され、前記時刻帯判断部によって当該動作時刻が前記所定時刻帯でないと判断される場合、前記プリパージの際に前記燃焼ファンを前記通常回転数よりも小さい第１特定回転数で前記第１所定時間よりも長い第１特定時間の間だけ動作させ、
前記ガスバーナの動作停止時に前記動作時刻判断部により前記現在時刻が前記動作時刻になったと判断され、前記時刻帯判断部によって当該動作時刻が前記所定時刻帯であると判断される場合、前記プリパージの際に前記燃焼ファンを前記第１特定回転数よりも小さい第２特定回転数で前記第１特定時間よりも長い第２特定時間の間だけ動作させることを特徴とする請求項２に記載の燃焼装置。
【請求項４】
前記操作部に対して予め所定の設定操作がなされた場合に所定の設定情報を記憶する設定情報記憶部を備え、
前記回転制御部は、
前記ガスバーナの動作停止時に前記動作時刻判断部により前記現在時刻が前記動作時刻になったと判断され、前記設定情報記憶部に前記設定情報が記憶されていない場合、前記プリパージの際に前記燃焼ファンを前記通常回転数よりも小さい第１特定回転数で前記第１所定時間よりも長い第１特定時間の間だけ動作させ、
前記ガスバーナの動作停止時に前記動作時刻判断部により前記現在時刻が前記動作時刻になったと判断され、且つ前記設定情報記憶部に前記設定情報が記憶されている場合、前記プリパージの際に前記燃焼ファンを前記第１特定回転数よりも小さい第２特定回転数で前記第１特定時間よりも長い第２特定時間の間だけ動作させることを特徴とする請求項２に記載の燃焼装置。
【請求項５】
前記回転制御部は、前記ガスバーナの動作停止時に前記操作部に対して所定の通常操作がなされた場合を前記通常モードとして前記燃焼ファンを前記通常回転数で第１所定時間の間だけ動作させ、前記ガスバーナの動作停止時に前記操作部に対して所定の特定操作がなされた場合を前記特定モードとして前記燃焼ファンを前記通常回転数よりも小さい前記特定回転数で前記第１所定時間よりも長い第２所定時間の間だけ動作させることを特徴とする請求項１に記載の燃焼装置。
【請求項６】
前記回転制御部は、前記ガスバーナの動作停止時に前記操作部に対して所定の通常操作がなされた場合を前記通常モードとして前記燃焼ファンを前記通常回転数で第１所定時間の間だけ動作させ、前記ガスバーナの動作停止時に前記操作部に対して所定の特定操作がなされた場合を前記特定モードとして前記燃焼ファンを前記通常回転数よりも大きい前記特定回転数で前記第１所定時間よりも短い第２所定時間の間だけ動作させることを特徴とする請求項１に記載の燃焼装置。
【請求項７】
当該燃焼装置内の温度又は当該燃焼装置外の周囲温度を検出する温度検出部を備え、
前記回転制御部は、前記ガスバーナの動作停止時に前記操作部に対して所定の開始操作がなされた場合において、前記温度検出部によって検出される温度が所定の温度閾値以上の場合を前記通常モードとして前記燃焼ファンを前記通常回転数で第１所定時間の間だけ動作させ、前記ガスバーナの動作停止時に前記操作部に対して前記開始操作がなされた場合において、前記温度検出部によって検出される温度が所定の温度閾値未満の場合を前記特定モードとして前記燃焼ファンを前記通常回転数よりも大きい前記特定回転数で前記第１所定時間よりも短い第２所定時間の間だけ動作させることを特徴とする請求項１に記載の燃焼装置。
【発明の詳細な説明】
【技術分野】
【０００１】
本発明は、燃焼装置に関するものである。
【背景技術】
【０００２】
従来より、ガスバーナの燃焼によって生じる燃焼排気熱を利用して温風を発生させるガス温風暖房機が知られている。例えば、特許文献１の構成では、内部にガスバーナを備えた燃焼室５と、この燃焼室５と連通して空気を加熱する熱交換器７とが設けられており、ガスガスバーナ１７の燃焼によって生じる燃焼排気熱によって熱交換器７を加熱させ、この熱交換器７によって暖められた加熱空気を室内に送出する構成となっている。
【先行技術文献】
【特許文献】
【０００３】
【特許文献１】特開２００１−２７４１５号公報
【発明の概要】
【発明が解決しようとする課題】
【０００４】
ところで、この種の燃焼装置では、ガスバーナの燃焼を停止したときに、燃焼室内に未燃焼の燃料ガスが滞留した状態となる場合がある。そこで、このように燃焼室内に未燃焼の燃料ガスが滞留した状態でバーナに点火されることを防止するため、バーナに点火する前に燃焼室内を換気するいわゆるプリパージが行われている。このプリパージでは、例えば燃焼室の体積の５倍程度の気体を放出するまで、ファンを回転動作させて燃焼室から気体を排出しつつ外気を取り入れ、燃焼室を換気することになる。従来は、このプリパージの際にファンを一定の回転速度で一定時間だけ動作させ、このファン動作によって必要な量の排気を行っていたが、このようにプリパージ時の回転速度が常に一定であったため、その時の使用環境にあったプリパージがなされていない場合があった。
【０００５】
本発明は、上述した課題を解決するためになされたものであり、プリパージ時のファンの回転速度を常に一律に設定するのではなく、必要な時期にプリパージ時のファンの回転速度を通常速度よりも大きく又は小さく設定し得る燃焼装置を提供することを目的とする。
【課題を解決するための手段】
【０００６】
本発明は、燃焼室内に設けられたガスバーナと、
前記ガスバーナへのガス供給路と、
前記ガス供給路の開閉を制御する開閉弁と、
前記燃焼室内の空気を流動させる燃焼ファンと、
前記ガスバーナに対する点火を制御する点火制御部と、
前記燃焼ファンの回転を制御する構成であり、且つ前記点火制御部による前記ガスバーナへの点火前に前記燃焼ファンを回転させて前記燃焼室内を換気するプリパージを行う回転制御部と、
外部からの操作が可能な操作部と、
を備え、
前記回転制御部は、所定の通常モードの場合には、前記プリパージの際の前記燃焼ファンの回転数を所定の通常回転数とし、前記通常モードとは異なり、前記ガスバーナの動作停止時に予め用意された特定条件が成立した場合、又は前記ガスバーナの動作停止時に前記操作部に対する特定操作がなされた場合、を特定モードとして前記プリパージの際の前記燃焼ファンの回転数を前記通常回転数よりも小さい又は大きい特定回転数とすることを特徴とする。
【発明の効果】
【０００７】
請求項１の発明によれば、通常時にはプリパージを通常回転数で行い、特定の場合にプリパージを相対的に小さい回転数又は大きい回転数で行うことができる。そして、使用環境を考慮して特定条件（回転数を切り替える条件）を設定すれば、使用環境に合った適正な回転数でプリパージを行うことができる。
【０００８】
請求項２の発明では、ガスバーナの動作停止時に操作部に対して所定の通常操作がなされた場合を通常モードとしている。そして、この通常モードのときには、プリパージの際に燃焼ファンを通常回転数で第１所定時間の間だけ動作させている。一方、ガスバーナの動作停止時に動作時刻判断部により現在時刻が動作時刻になったと判断された場合を特定モードとしている。そして、特定モードのときには、プリパージの際に燃焼ファンを通常回転数よりも小さい特定回転数で第１所定時間よりも長い第２所定時間の間だけ動作させている。
この構成では、より早くプリパージを行うべき場合には、操作部に対して所定の通常操作を行えば良く、これにより、相対的に大きい通常回転数でプリパージを行うことができ、比較的短い時間でプリパージを完了することができる。一方、設定された動作時刻に動作を開始するようなタイマー設定の場合には、相対的に小さい特定回転数でプリパージを行うことができ、プリパージをより静かに行うことができる。
例えば、起床前の時刻を動作時刻としておけば、起床前に静かにプリパージを行ってプリパージを完了させておくことができ、プリパージ時のファン動作が就寝を妨げにくくなる。また、就寝中であれば、ある程度長い時間プリパージ動作を行っても利用者が遅延感を感じにくく、より静かな音で十分な量のプリパージを支障なく行うことができる。
【０００９】
請求項３の発明では、動作時刻が所定時刻帯でないと判断される場合、プリパージの際に燃焼ファンを通常回転数よりも小さい第１特定回転数で第１所定時間よりも長い第１特定時間の間だけ動作させ、動作時刻が所定時刻帯であると判断される場合、プリパージの際に燃焼ファンを第１特定回転数よりも小さい第２特定回転数で第１特定時間よりも長い第２特定時間の間だけ動作させる構成となっている。
この構成では、通常操作とタイマー設定とでプリパージ時の回転数を使い分ける構成において、更に、タイマー設定時の動作時刻によっても、回転数を分けることができる。
例えば、タイマー設定された時刻が就寝時間帯（例えば、２２：００〜６：００）の場合を「所定時間帯」とすれば、この時間帯は、より一層低速の回転数（第２特定回転数）で静粛性を最重視してプリパージを行うことができ、ファン動作が就寝を妨げにくくなる。一方、タイマー設定された時刻が就寝時間帯でない場合には、就寝時間帯よりは静粛性が抑えられるが通常時よりは高い静粛性で、且つ就寝時間帯よりも短い時間でプリパージを行うことができる。
【００１０】
請求項４の発明では、ガスバーナの動作停止時に動作時刻判断部により現在時刻が動作時刻になったと判断され、設定情報記憶部に設定情報が記憶されていない場合、プリパージの際に燃焼ファンを通常回転数よりも小さい第１特定回転数で第１所定時間よりも長い第１特定時間の間だけ動作させる。一方、ガスバーナの動作停止時に動作時刻判断部により現在時刻が動作時刻になったと判断され、且つ設定情報記憶部に設定情報が記憶されている場合、プリパージの際に燃焼ファンを第１特定回転数よりも小さい第２特定回転数で第１特定時間よりも長い第２特定時間の間だけ動作させる。
この構成では、通常操作とタイマー設定とでプリパージ時の回転数を使い分ける構成において、更に、設定情報記憶部に設定情報が記憶されているか否かで、回転数を分けることができる。
例えば、動作時刻のタイマー設定を行い、且つ所定操作を行って設定情報を記憶しておけば、動作時刻の到来時に、より一層低速の回転数（第２特定回転数）で静粛性を最重視してプリパージを行うことができる。一方、動作時刻のタイマー設定だけ行い、設定情報を記憶する操作を行わなければ、静粛性が若干抑えられるが通常時よりは高い静粛性で、且つ設定情報記憶時よりは短い時間でプリパージを行うことができる。
【００１１】
請求項５の発明では、ガスバーナの動作停止時に操作部に対して所定の通常操作がなされた場合を通常モードとして燃焼ファンを通常回転数で第１所定時間の間だけ動作させ、ガスバーナの動作停止時に操作部に対して所定の特定操作がなされた場合を特定モードとして燃焼ファンを通常回転数よりも小さい特定回転数で第１所定時間よりも長い第２所定時間の間だけ動作させる構成となっている。
この構成では、操作部に対して所定の通常操作を行えば、通常回転数でプリパージを行うことができ、比較的短い時間でプリパージを完了することができる。一方、静粛性を重視する場合、特定操作を行えば、相対的に小さい特定回転数でプリパージを行うことができ、プリパージをより静かに行うことができる。例えば、乳児などが就寝している時に、任意に動作させたい場合、特定操作を行えば、静かにプリパージを完了させて温風供給に移行でき、乳児の就寝を極力妨げずに部屋を加熱し易くなる。
【００１２】
請求項６の発明では、ガスバーナの動作停止時に操作部に対して所定の通常操作がなされた場合を通常モードとして燃焼ファンを通常回転数で第１所定時間の間だけ動作させ、ガスバーナの動作停止時に操作部に対して所定の特定操作がなされた場合を特定モードとして燃焼ファンを通常回転数よりも大きい特定回転数で第１所定時間よりも短い第２所定時間の間だけ動作させる構成となっている。
この構成では、操作部に対して所定の通常操作を行えば、通常回転数で比較的静かにプリパージを行うことができる。一方、迅速性を重視する場合、特定操作を行えば、相対的に大きい特定回転数でファンを回し、短時間でプリパージを完了することができる。例えば、外出先からの帰宅後、部屋が冷えた状態で早急に部屋を温めたい場合、特定操作を行えば、早急にプリパージを完了させて温風の供給を迅速に行いやすくなり、非常に有効である。
【００１３】
請求項７の発明では、ガスバーナの動作停止時に操作部に対して所定の開始操作がなされた場合において、温度検出部によって検出される温度が所定の温度閾値以上の場合を通常モードとして燃焼ファンを通常回転数で第１所定時間の間だけ動作させる。一方、ガスバーナの動作停止時に操作部に対して開始操作がなされた場合において、温度検出部によって検出される温度が所定の温度閾値未満の場合を特定モードとして燃焼ファンを通常回転数よりも大きい特定回転数で第１所定時間よりも短い第２所定時間の間だけ動作させる。
この構成では、周囲温度が比較的高い場合には、通常回転数で比較的静かにプリパージを行うことができ、周囲温度が比較的低い場合には、相対的に大きい特定回転数でファンを回し、短時間でプリパージを完了することができる。従って、周囲が冷えているときには、早急にプリパージを完了させて温風の供給を迅速に行うことができ、冷えた環境をより早く改善することができる。
【図面の簡単な説明】
【００１４】
【図１】図１は、本発明の第１実施形態に係る燃焼装置を概略的に例示する概略図である。
【図２】図２は、図１の燃焼装置の操作部を概略的に例示する概略図である。
【図３】図３は、図１の燃焼装置の電気的構成の一部を簡略的に示すブロック図である。
【図４】図４は、第１実施形態に係る燃焼装置におけるタイマ設定動作時のプリパージ処理の流れを例示するフローチャートである。
【図５】図５は、第２実施形態に係る燃焼装置におけるタイマ設定動作時のプリパージ処理の流れを例示するフローチャートである。
【図６】図６は、第３実施形態に係る燃焼装置でのプリパージ処理の流れを例示するフローチャートである。
【図７】図７は、第４実施形態に係る燃焼装置でのプリパージ処理の流れを例示するフローチャートである。
【発明を実施するための形態】
【００１５】
[第１実施形態]
以下、本発明を具現化した第１実施形態について、図面を参照して説明する。
（全体構成）
まず、図１〜図３を参照し、燃焼装置１の全体構成について説明する。
図１に示す燃焼装置１は、ガス加熱式の温風暖房機として構成されており、ケース内に、送風路３と、外部空気を送風路３内に供給するファン２０と、送風路３内を通る空気を加熱する燃焼部４とを備えている。
【００１６】
送風路３は、ケースの第１所定位置（例えば背面）に設けられた吸気口５１と、ケースの第２所定位置（例えば前面）に設けられた吹出口５７との間に、後述する熱交換器６を介在させて形成されている。この送風路３は、吸気口５１から入り込んだ空気がファン２０に隣接する領域５２を通り、その後、熱交換器６の流路３５に隣接する領域５３を通って温められるようになっている。その後、領域５３から吹出口５７に隣接する領域５５に送り込まれ、吹出口５７から加熱された空気が放出されるようになっている。なお、図１では、外部（例えば室内）から供給される加熱前の空気を破線の白抜き矢印Ｆ１で示しており、熱交換器６で温められた空気を塗り潰しの矢印Ｆ２で示している。
【００１７】
ファン２０は、送風路３内においてケースに形成された吸気口５１に臨むように回転可能に設けられた回転羽と、この回転羽を回転駆動するモータ２５とを備えている。このファン２０は、制御回路１０の制御によってモータ２５が回転動作するようになっており、動作時には、回転羽の回転により外部空気（例えば室内空気）を吸気口５１から送風路３内に取り込み、その取り込んだ空気を熱交換器６付近を通過させて吹出口５７に向かって流し、吹出口５７から外部に送出するようになっている。
【００１８】
燃焼部４は、ガスバーナ１７を収容する燃焼室５と、燃焼室５に連通し、燃焼室５で加熱された気体を通過させる流路３５を備えた熱交換器６とを備えている。燃焼室５は、ガスを含んだ混合気体をガスバーナ１７によって燃焼する空間であり、この燃焼室５には、ガスバーナ１７へ空気を供給するための給気路９と、燃焼ガスを供給するためのガス供給路７とが接続されている。また、燃焼室５に連通する熱交換器６には、ガスバーナ１７での燃焼排ガスを排出するための排気路８が接続されている。そして、給気路９と排気路８はケースの外部にまで延設され、ケース外（例えば屋外）に配される開口部３７を介して外部と連通している。
【００１９】
給気路９は、装置外（ケース外）からの空気を燃焼室５に向けて送り込む通路として構成されており、その途中には燃焼ファン１５が設けられている。燃焼ファン１５は、燃焼室５内のガスバーナ１７に燃焼用空気を送出し、燃焼室５内の気体を給気路９側から排気路８側へ流動させるように機能している。この燃焼ファン１５は、給気路９内に回転自在に設けられた回転羽と、この回転羽を回転駆動するモータとを備えており、このモータが図３に示す駆動回路７３によって駆動されるようになっている。図３に示す駆動回路７３は、公知のモータ駆動回路として構成されており、制御回路１０からの指令に応じた回転速度で燃焼ファン１５のモータを回転するようになっている。なお、本構成では、駆動回路７３及び制御回路１０が回転制御部の一例に相当する。
【００２０】
また、本構成では、図１のように、装置内に配置されたガス供給路７（ガス流路）がノズル１６を介して燃焼室５内のガスバーナ１７と連通しており、ノズル１６から吹き出した燃料ガスが燃焼室５内のガスバーナ１７に入り込む際には、この流入時の吹込み力（燃焼室５への吸引力）及び燃焼ファン１５の送風力によってガスバーナ１７内に給気路９の空気の一部が入り込んで一次空気として混合されるようになっている。そして、このように生成される混合気体を燃焼室５内に設けられたガスバーナ１７によって燃焼させる構成となっている。また、給気路９からの空気は、ガスバーナ１７付近の隙間を通って下流側に抜けるようにもなっており、このように抜けた空気は、ガスバーナ１７の下流側においてガスバーナ１７の燃焼で生じた炎に対して二次空気として供給されるようになっている。また、燃焼室５内には、ガスバーナ１７の点火を行うためのイグナイタ１８と、ガスバーナ１７の燃焼炎を検知するためのフレームロッド１９とがガスバーナ１７に臨んで配設されている。図３のように、イグナイタ１８には、公知のイグナイタ回路７２が接続されており、制御回路１０からの指令に応じてイグナイタ回路７２がイグナイタ１８に対して点火動作を行うようになっている。本構成では、制御回路１０、イグナイタ回路７２、イグナイタ１８が、ガスバーナ１７に対する点火を制御する点火制御部の一例に相当する。
【００２１】
また、図１のように、ガス供給路７には、ガス元電磁弁１１と、電磁弁１２と、電磁弁１４とが設けられている。これらガス元電磁弁１１と、電磁弁１２と、電磁弁１４は、ガス供給路７の開閉を制御する開閉弁の一例に相当する。ガス元電磁弁１１及び電磁弁１２は、ガス供給路７の一部をなす第１流路部３１に設けられ、いずれも制御回路１０によって開閉動作が制御されるようになっており、それぞれが独立して第１流路部３１の開放及び閉塞を切り替えるように動作する。本構成では、ガス元電磁弁１１及び電磁弁１２を用いた二重の閉塞構造となっており、ガス元電磁弁１１及び電磁弁１２が閉弁状態にあるときには、燃焼室５に対して燃焼ガスが供給されないようになっている。一方、ガス元電磁弁１１及び電磁弁１２がいずれも開弁状態にあるときには、燃焼室５に対して燃焼ガスが供給される。電磁弁１４は、燃焼室５に対する燃焼ガスの供給量を制御する弁であり、第１流路部３１から分岐する２つの流路部３２，３３の一方側の流路部３３の開放及び閉塞を切り替えるように動作する。ガス元電磁弁１１及び電磁弁１２がいずれも開弁状態にあるとき、電磁弁１４が開放状態であれば燃焼ガスの供給量が相対的に大となり、電磁弁１４が閉塞状態であれば燃焼ガスの供給量が相対的に小となる。また、図１のように、ガス供給路７を通る燃焼ガスのガス圧を調整する供給ガス圧調整弁１３も設けられている。
【００２２】
また、ケース外の所定箇所には、ケース外の温度を測定する室温サーミスタ２４が設けられている。図３に示すように、室温サーミスタ２４によって検出された温度は、制御回路１０に入力されるようになっており、制御回路１０は、室温サーミスタ２４で得られた検出温度を利用して制御を行うことができる。
【００２３】
また、燃焼装置１には、図２のような操作部６０が設けられている。この操作部６０は、外部からの押圧操作が可能な複数の操作ボタン６４，６５，６６，６７，６８，６９と、文字や記号などを表示可能な表示部６２とを備えている。この操作部６０では、操作ボタン６４，６５，６６，６７，６８，６９によって様々なトリガ操作や情報入力を行うことができるようになっており、例えば操作ボタン６５，６６，６７，６８，６９に対する所定の温度入力操作によって使用者が希望する室温（目標室温）を入力することができるようになっている。また、操作ボタン６５，６６，６７，６８，６９に対する所定の時刻入力操作によって動作時刻（タイマ時刻）を設定することができるようになっている。このように設定された室温（目標室温）や動作時刻は、図３に示すメモリ７１に記憶され、制御回路１０によって参照できるようになっている。なお、メモリ７１は、「動作時刻記憶部」の一例に相当するものであり、例えばＲＡＭやＥＥＰＲＯＭなどの公知の半導体メモリによって構成されている。
【００２４】
燃焼装置１は、図３のような電気的構成になっており、例えば外部の商用交流電源を電源として作動し、図示しない電源回路によって動作電圧が生成されて各部品に電力が供給されるようになっている。制御回路１０は、ＣＰＵ１０ａ，ＲＯＭ１０ｂ，ＲＡＭ１０ｃなどを備えたマイクロコンピュータ（以下、マイコンとも称する）として構成されており、燃焼装置１内の各種制御を行うようになっている。なお、図３では、制御回路１０に接続される一部の部品のみ例示し、残りの部品の図示は省略している。
【００２５】
次に、プリパージ処理について説明する。
本構成では、制御回路１０及び駆動回路７３が回転制御部に相当しており、所定の通常モードの場合には、プリパージの際の燃焼ファン１５の回転数を所定の通常回転数Ｒ１として燃焼ファン１５を回転駆動する。一方、ガスバーナ１７の動作停止時に予め用意された特定条件が成立した場合を特定モードとし、この特定モードの場合には、プリパージの際の燃焼ファン１５の回転数を通常回転数Ｒ１よりも小さい特定回転数として燃焼ファン１５を回転駆動する。
【００２６】
具体的には、商用電源から電力供給がなされ、燃焼動作が行われていない待機状態（ガスバーナ１７が点火しておらず、燃焼ファン１５もファン２０も停止している状態）のときに操作ボタン６４に対して所定の開始操作がなされた場合を通常モードの開始条件としている。なお、開始操作は、例えばボタンを１回押圧する操作であってもよく、長押しや複数回押圧する操作であってもよい。そして、このように通常モードが開始した場合には、通常のプリパージを行った後、ガスバーナ１７の点火を行い、燃焼状態を継続する。この「通常のプリパージ」では、ガスバーナ１７が点火していない状態で、燃焼ファン１５を所定の通常回転数Ｒ１（例えば、３０００ｒｐｍ）で回転させ、その通常回転数Ｒ１での回転状態を第１所定時間Ｔ１（例えば２０秒）の間だけ維持する。そして、このような第１所定時間Ｔ１が経過してプリパージが完了した後に、ガスバーナ１７の点火を行い、供給ガスの燃焼及びファン２０の駆動を行い、温風の放出を開始する。
【００２７】
一方、上述のような所定ボタンの押圧とは別で、タイマー設定によっても動作が開始されるようになっている。具体的には、例えば、図４のような流れでもプリパージ処理が可能となっている。この図４の処理は、商用電源から電力供給がなされた電源投入状態のときに燃焼動作が行われていない場合に実行される処理であり、まず、時計部７４から把握される現在時刻（Ｓ２１の処理実行時の時刻）がメモリ７１に登録されている動作時刻（タイマ設定時刻）となったか否かを判断する（Ｓ２１）。本構成では、図３のように現在時刻の情報を出力する時計部７４が設けられており、制御回路１０では、この時計部７４からの情報によって現在時刻を把握できるようになっている。また、待機状態のときに予め操作部６０に対して所定操作を行うことで、メモリ７１に動作時刻（タイマ設定時刻）を記録しておくことができるようになっている。このように動作時刻が設定されている場合、Ｓ２１の処理では、時計部７４から把握される現在時刻（Ｓ２１の処理実行時の時刻）がメモリ７１に登録されている動作時刻（タイマ設定時刻）となったか否かを判断し、現在時刻がメモリ７１に登録された動作時刻に達していなければＳ２１でＮｏに進んで待機状態を維持し、現在時刻がメモリ７１に登録された動作時刻に達していればＳ２１でＹｅｓに進む。なお、Ｓ２１でＮｏに進む判断が繰り返される待機状態のときに操作ボタン６４が押圧されたときには、上述の通常モードが開始するようになっている。
本構成では、制御回路１０が動作時刻判断部の一例に相当し、時計部７４によって把握される現在時刻が動作時刻になったか否かを判断するように機能する。
【００２８】
そして、Ｓ２１でＹｅｓに進む場合、メモリ７１に登録された動作時刻（タイマ設定時刻）が所定時刻帯であるか否かを判断する。図４の例では、所定時刻帯の一例として「午前中」を挙げており、メモリ７１に登録された動作時刻（タイマ設定時刻）が「午前中」であれば、Ｓ２２にてＹｅｓに進む。一方、メモリ７１に登録された動作時刻（タイマ設定時刻）が「午前中」でなければ、Ｓ２２にてＮｏに進む。なお、「所定時刻帯」は、予め定められた固定時刻帯であってもよく、ユーザが事前入力によって「所定時刻帯」をメモリ７１に登録できるようになっていてもよい。
なお、本構成では、制御回路１０が時刻帯判断部の一例に相当し、動作時刻が所定時刻帯であるか否かを判断するように機能する。
【００２９】
そして、Ｓ２２にてＮｏに進む場合、Ｓ２４では、燃焼ファン１５を上述の通常回転数Ｒ１よりも小さい第１特定回転数Ｒ２１（例えば、１５００ｒｐｍの低回転数）で第１所定時間Ｔ１よりも長い第１特定時間Ｔ２１（例えば、４０秒）の間だけ動作させ、プリパージを行う。そして、第１特定時間Ｔ２１が経過するとプリパージは完了する。なお、プリパージが完了した後には、通常時と同様、ガスバーナ１７の点火を行い、供給ガスの燃焼及びファン２０の駆動を行い、温風の放出を開始する。
【００３０】
一方、Ｓ２２にてＹｅｓに進む場合、Ｓ２３では、燃焼ファン１５を上述の第１特定回転数Ｒ２１よりも更に小さい第２特定回転数Ｒ２２（例えば１０００ｒｐｍ）で第１特定時間Ｔ２１よりも更に長い第２特定時間Ｔ２２（例えば、６０秒）の間だけ動作させ、プリパージを行う（Ｓ２３）。そして、第２特定時間Ｔ２２が経過するとプリパージは完了する。なお、プリパージが完了した後には、通常時と同様、ガスバーナ１７の点火を行い、供給ガスの燃焼及びファン２０の駆動を行い、温風の放出を開始する。
【００３１】
本構成では、制御回路１０及び駆動回路７３が回転制御部の一例に相当し、点火制御部によるガスバーナ１７への点火前に燃焼ファン１５を回転させて燃焼室５内を換気するプリパージを行うように機能する。そして、この回転制御部は、通常時（上述したように所定ボタンが押されて動作が開始する時）にはプリパージを通常回転数Ｒ１で行い、特定の場合には、プリパージを相対的に小さい回転数で行うことができるようになっている。より具体的には、ガスバーナ１７の動作停止時に現在時刻が動作時刻になったと判断され、当該動作時刻が所定時刻帯でないと判断される場合（即ち、図４のＳ２１でＹｅｓとなり、Ｓ２２でＮｏとなる場合）、プリパージの際に燃焼ファン１５を通常回転数Ｒ１よりも小さい第１特定回転数Ｒ２１で第１所定時間Ｔ１よりも長い第１特定時間Ｔ２１の間だけ動作させるように機能する。一方、ガスバーナ１７の動作停止時に現在時刻が動作時刻になったと判断され、当該動作時刻が所定時刻帯であると判断される場合（即ち、図４のＳ２１でＹｅｓとなり、Ｓ２２でＹｅｓとなる場合）、プリパージの際に燃焼ファン１５を第１特定回転数Ｒ２１よりも小さい第２特定回転数Ｒ２２で第１特定時間Ｔ２１よりも長い第２特定時間Ｔ２２の間だけ動作させるように機能する。
【００３２】
このような本構成によれば、より早くプリパージを行うべき場合には、操作部６０に対して所定の通常操作を行えば、相対的に大きい通常回転数Ｒ１でプリパージを行うことができ、比較的短い時間でプリパージを完了することができる。一方、設定された動作時刻に動作を開始するようなタイマー設定の場合には、相対的に小さい特定回転数でプリパージを行うことができ、プリパージをより静かに行うことができる。
【００３３】
また、本構成では、通常操作とタイマー設定とでプリパージ時の回転数を使い分ける構成において、更に、タイマー設定時の動作時刻によっても、回転数を分けることができる。上述の例では、所定時間帯を「ＡＭ」としたが、例えば、タイマー設定された時刻（動作時刻）が就寝時間帯（例えば、２２：００〜６：００）の場合を「所定時間帯」とすれば、この時間帯は、より一層低速の回転数（第２特定回転数Ｒ２２）で静粛性を最重視してプリパージを行うことができ、ファン動作が就寝を妨げにくくなる。一方、タイマー設定された時刻が就寝時間帯でない場合には、就寝時間帯よりは静粛性が抑えられるが通常時よりは高い静粛性で、且つ就寝時間帯よりも短い時間でプリパージを行うことができる。
【００３４】
[第２実施形態]
次に、本発明の第２実施形態について図５を参照して説明する。
なお、第２実施形態は、図４のＳ２２の処理を、図５のＳ４２の処理に変更した点のみが第１実施形態と異なり、それ以外は第１実施形態と同様である。特に、図１〜図３の構成などは第１実施形態と同一である。
【００３５】
この構成では、メモリ７１が設定情報記憶部の一例に相当し、操作部６０に対して予め所定の設定操作がなされた場合に所定の設定情報を記憶するようになっている。例えば操作ボタン６５〜６９のいずれかを「おやすみボタン」として機能させている。そして、商用電源から電力供給がなされた電源投入状態で燃焼動作が行われていない待機状態のときにこの「おやすみボタン」に対して所定操作（所定回数の押下や長押しなど）がなされた場合に、メモリ７１に識別情報（所定の設定情報）を記録するようになっている。なお、動作時刻（タイマー設定時刻）の登録方法は第１実施形態と同様である。
【００３６】
第２実施形態の構成では、通常モードについては第１実施形態と同様である。即ち、商用電源から電力供給がなされ、燃焼動作が行われていない待機状態のときに操作ボタン６４に対して所定の開始操作がなされた場合には、燃焼ファン１５を所定の通常回転数Ｒ１で回転させ、その通常回転数Ｒ１での回転状態を第１所定時間Ｔ１の間だけ維持するようにプリパージを行う。なお、プリパージの完了後は、第１実施形態と同様の燃焼動作を行う。
【００３７】
一方、タイマー設定によって動作が開始する場合、図５のような流れでプリパージ処理を行う。図５のＳ４１は、図４のＳ２１と同一であり、時計部７４で把握される現在時刻がメモリ７１に登録された動作時刻（タイマ設定時刻）に達していなければＳ４１でＮｏに進んで待機状態を維持し、現在時刻がメモリ７１に登録された動作時刻に達していればＳ４１でＹｅｓに進む。
【００３８】
そして、Ｓ４１でＹｅｓに進む場合、おやすみボタンに対する事前操作がなされているか否かを判断する（Ｓ４２）。具体的には、メモリ７１に上述の識別情報が記録されているか否かを判断し、記録されている場合にはＳ４２にてＹｅｓに進む。逆に、メモリ７１に上述の識別情報が記録されていない場合にはＳ４２にてＮｏに進む。そして、Ｓ４２にてＹｅｓに進む場合には、図４のＳ２３と同一のＳ４３の処理を行い、超低速回転数（第２特定回転数Ｒ２２）で、超長時間（第２特定時間Ｔ２２）のプリパージを行う。一方、Ｓ４２にてＮｏに進む場合には、図４のＳ２４と同一のＳ４４の処理を行い、低速回転数（第１特定回転数Ｒ２１）で、長時間（第１特定時間Ｔ２１）のプリパージを行う。なお、Ｓ４３又はＳ４４の後には、第１実施形態と同様の燃焼動作を行う。
【００３９】
本構成でも、制御回路１０及び駆動回路７３が回転制御部の一例に相当し、ガスバーナ１７の動作停止時に動作時刻判断部により現在時刻が動作時刻になったと判断され、設定情報記憶部（メモリ７１）に設定情報（識別情報）が記憶されていない場合（即ち、図５のＳ４１でＹｅｓとなり、Ｓ４２でＮｏとなる場合）、プリパージの際に燃焼ファン１５を通常回転数Ｒ１よりも小さい第１特定回転数Ｒ２１で第１所定時間Ｔ１よりも長い第１特定時間Ｔ２１の間だけ動作させるように機能する。また、ガスバーナ１７の動作停止時に動作時刻判断部により現在時刻が動作時刻になったと判断され、且つ設定情報記憶部に設定情報が記憶されている場合（即ち、図５のＳ４１でＹｅｓとなり、Ｓ４２でＹｅｓとなる場合）、プリパージの際に燃焼ファン１５を第１特定回転数Ｒ２１よりも小さい第２特定回転数Ｒ２２で第１特定時間Ｔ２１よりも長い第２特定時間Ｔ２２の間だけ動作させるように機能する。
【００４０】
本構成では、通常操作とタイマー設定とでプリパージ時の回転数を使い分ける構成において、更に、設定情報記憶部（メモリ７１）に設定情報（識別情報）が記憶されているか否かで、回転数を分けることができる。例えば、予め動作時刻のタイマー設定を行うと共に所定操作を行って設定情報を記憶しておけば、動作時刻の到来時に、より一層低速の回転数（第２特定回転数）で静粛性を最重視してプリパージを行うことができる。一方、動作時刻のタイマー設定だけ行い、設定情報を記憶する操作を行わなければ、静粛性が若干抑えられるが通常時よりは高い静粛性で、且つ設定情報記憶時よりは短い時間でプリパージを行うことができる。
【００４１】
[第３実施形態]
次に、本発明の第３実施形態について図６を参照して説明する。
この第３実施形態は、プリパージ処理のみが第１実施形態と異なり、それ以外は第１実施形態と同様である。特に、図１〜図３の構成などは第１実施形態と同一である。
【００４２】
この第３実施形態では、操作ボタン６５〜６９のいずれかを「おやすみボタン」として機能させ、それ以外のいずれかを「お急ぎボタン」として機能させている。そして、通常モードについては第１実施形態と同様であり、例えば、操作ボタン６４を通常の動作ボタンとして機能させている。そして、押圧されたボタンの種類に応じたプリパージを行うようになっている。なお、本構成でも、制御回路１０及び駆動回路７３が回転制御部の一例に相当する。
【００４３】
そして、商用電源から電力供給がなされ、燃焼動作が行われていない待機状態のとき、操作ボタン６４（通常ボタン）、おやすみボタン、お急ぎボタンのいずれかが押圧されたときに図６の処理が実行される。例えば、操作ボタン６４（通常ボタン）が押された場合には、Ｓ５１でＮｏに進み、Ｓ５２でＮｏに進むことになり、Ｓ５４では、第１実施形態と同様の通常モードが開始する。この場合、燃焼ファン１５を所定の通常回転数Ｒ１（例えば３０００ｒｐｍ）で回転させ、その通常回転数Ｒ１での回転状態を第１所定時間Ｔ１（例えば２０秒）の間だけ維持するようにプリパージを行う（Ｓ５４）。なお、プリパージの完了後は、第１実施形態と同様の燃焼動作を行う。
【００４４】
一方、待機状態のときにおやすみボタンが押された場合（第１特定操作の場合）には、Ｓ５１でＹｅｓに進み、Ｓ５５では、燃焼ファン１５を上述の通常回転数Ｒ１よりも小さい特定回転数Ｒ３１（例えば、１５００ｒｐｍの低回転数）で第１所定時間Ｔ１よりも長い第２所定時間Ｔ３１（例えば、４０秒）の間だけ動作させ、プリパージを行う。そして、プリパージの完了後は、第１実施形態と同様の燃焼動作を行う。
【００４５】
また、待機状態のときにお急ぎボタンが押された場合（第２特定操作の場合）には、Ｓ５１でＮｏに進み、Ｓ５２でＹｅｓに進み、Ｓ５３では、燃焼ファン１５を上述の通常回転数Ｒ１よりも大きい特定回転数Ｒ３２（例えば、６０００ｒｐｍの高回転数）で第１所定時間Ｔ１よりも短い第２所定時間Ｔ３２（例えば、１０秒）の間だけ動作させ、プリパージを行う。そして、プリパージの完了後は、第１実施形態と同様の燃焼動作を行う。
【００４６】
本構成では、操作部６０に対して所定の通常操作（通常ボタンの押圧）を行えば、通常回転数Ｒ１でプリパージを行うことができ、比較的短い時間でプリパージを完了することができる。一方、静粛性を重視する場合、第１の特定操作（おやすみボタンの押圧）を行えば、相対的に小さい特定回転数Ｒ３１でプリパージを行うことができ、プリパージをより静かに行うことができる。例えば、乳児などが就寝している時に、任意に動作させたい場合、第１の特定操作（おやすみボタンの押圧）を行えば、任意のタイミングで静かにプリパージを完了させて温風供給に移行でき、乳児の就寝を極力妨げずに部屋を加熱し易くなる。
【００４７】
また、迅速性を重視する場合、第２の特定操作（お急ぎボタンの押圧）を行えば、相対的に大きい特定回転数Ｒ３２でファンを回し、短時間でプリパージを完了することができる。例えば、外出先からの帰宅後、部屋が冷えた状態で早急に部屋を温めたい場合、第２の特定操作（お急ぎボタンの押圧）を行えば、早急にプリパージを完了させて温風の供給を迅速に行いやすくなり、非常に有効である。
【００４８】
[第４実施形態]
次に、本発明の第４実施形態について図７を参照して説明する。
この第４実施形態の構成は、プリパージ処理のみが第１実施形態と異なり、それ以外は第１実施形態と同様である。特に、図１〜図３の構成などは第１実施形態と同一である。
【００４９】
第４実施形態では、プリパージ開始条件の成立時に図７のような流れでプリパージ処理が行われ、その後、第１実施形態と同様の燃焼動作が行われるようになっている。なお、プリパージ開始条件の成立は、所定ボタン（例えば操作ボタン６４）に対する開始操作（例えば押圧操作）がなされたことであってもよく、現在時刻がメモリ７１に記録された動作時刻（タイマ設定時刻）に達したことであってもよい。
【００５０】
プリパージ開始条件が成立した場合、温度検出部に相当する室温サーミスタ２４での検出温度を把握し、室温サーミスタで検出される温度が所定の閾値温度（例えば０°）以上であるか否かを判断する（Ｓ３１）。そして、室温サーミスタ２４での検出温度が閾値温度以上であれば、Ｓ３１にてＹｅｓに進み、図６のＳ５４と同様のプリパージを行う（Ｓ３２）。このＳ３２は、第１実施形態と同様の通常モードであり、この場合、燃焼ファン１５を所定の通常回転数Ｒ１（例えば３０００ｒｐｍ）で回転させ、その通常回転数Ｒ１での回転状態を第１所定時間Ｔ１（例えば２０秒）の間だけ維持するようにプリパージを行う。なお、プリパージの完了後は、第１実施形態と同様の燃焼動作を行う。
【００５１】
一方、室温サーミスタ２４での検出温度が閾値温度未満であれば、Ｓ３１にてＮｏに進み、図６のＳ５３と同様のプリパージを行う（Ｓ３３）。この場合、燃焼ファン１５を上述の通常回転数Ｒ１よりも大きい特定回転数Ｒ３２（例えば、６０００ｒｐｍの高回転数）で第１所定時間Ｔ１よりも短い第２所定時間Ｔ３２（例えば、１０秒）の間だけ動作させ、プリパージを行う。そして、プリパージの完了後は、第１実施形態と同様の燃焼動作を行う。
【００５２】
本構成では、制御回路１０及び駆動回路７３が回転制御部に相当し、ガスバーナ１７の動作停止時に操作部６０に対して所定の開始操作がなされた場合において、室温サーミスタ２４によって検出される温度が所定の温度閾値以上の場合を通常モードとして燃焼ファン１５を通常回転数Ｒ１で第１所定時間Ｔ１の間だけ動作させる。また、ガスバーナ１７の動作停止時に操作部６０に対して開始操作がなされた場合において、室温サーミスタ２４によって検出される温度が所定の温度閾値未満の場合を特定モードとして燃焼ファン１５を通常回転数Ｒ１よりも大きい特定回転数Ｒ３２で第１所定時間Ｔ１よりも短い第２所定時間Ｔ３２の間だけ動作させる。
【００５３】
本構成では、周囲温度が比較的高い場合には、通常回転数Ｒ１で比較的静かにプリパージを行うことができ、周囲温度が比較的低い場合には、相対的に大きい特定回転数Ｒ３２でファンを回し、短時間でプリパージを完了することができる。従って、周囲が冷えているときには、早急にプリパージを完了させて温風の供給を迅速に行うことができ、冷えた環境をより早く改善することができる。
【００５４】
なお、第４実施形態の代表例では、ハウジング外の温度を室温サーミスタ２４によって測定したが、ハウジング内の所定領域の温度を室温サーミスタ２４によって測定する構成であってもよい。
【００５５】
［他の実施形態]
本発明は上記記述及び図面によって説明した実施形態に限定されるものではなく、例えば次のような実施形態も本発明の技術的範囲に含まれる。
【００５６】
第１、第２実施形態では、所定の通常モードの場合に、プリパージの際の燃焼ファン１５の回転数を所定の通常回転数Ｒ１とし、ガスバーナ１７の動作停止時に予め用意された特定条件が成立した場合を特定モードとしてプリパージの際の燃焼ファン１５の回転数を通常回転数Ｒ１よりも小さい特定回転数としていたが、予め用意された特定条件が成立してプリパージを行う場合に、燃焼ファン１５の回転数を通常回転数Ｒ１よりも大きい特定回転数としてもよい。例えばタイマ動作時のプリパージの際の回転数を通常回転数Ｒ１よりも大きくしてもよい。
【符号の説明】
【００５７】
１…燃焼装置
５…燃焼室
６…熱交換器
７…ガス供給路
９…メモリ（設定情報記憶部）
１０…制御回路（点火制御部、回転制御部、動作時刻判断部）
１１…ガス元電磁弁（開閉弁）
１２…電磁弁（開閉弁）
１４…電磁弁（開閉弁）
１５…燃焼ファン
１７…ガスバーナ
１８…イグナイタ（点火制御部）
２４…室温サーミスタ（温度検出部）
６０…操作部
７２…イグナイタ回路（点火制御部）
７３…駆動回路（回転制御部）
７４…時計部
【図１】
2015090243.tif 000003
【図２】
2015090243.tif 000004
【図３】
2015090243.tif 000005
【図４】
2015090243.tif 000006
【図５】
2015090243.tif 000007
【図６】
2015090243.tif 000008
【図７】
2015090243.tif 000009